(57)【要約】【課題】  本発明は、簡単な構成でありながらも確実に食品を切断して離乳食や介護食を得ることができ、携帯に便利で後始末も容易な食品用カッターを提供することにある。【解決手段】  下端縁を刃状加工した一対のプレートの一方のプレート２下端縁からこのプレート２中央部にかけて上下方向に沿って下部スリット５を開設し、他方のプレート３上端縁からこのプレート３中央部にかけて上下方向に沿って上部スリット６を開設し、一対のプレート２、３を、下端縁が交差する十文字状の姿勢で、下部スリット５と上部スリット６とを相互に嵌め込んで組み付けることを特徴とする。【選択図】        図２
2020000526.tif 000002
【特許請求の範囲】
【請求項１】
下端縁を刃状加工した一対のプレートの夫々に一端が開放されたスリットを開設し、前記一対のプレートの夫々の下端縁が交差する十文字状の姿勢で、前記各スリットを相互に嵌め込んで組み付けることを特徴とする食品用カッター。
【請求項２】
下端縁を刃状加工した一対のプレートの一方のプレート（２）下端縁から該プレート（２）中央部にかけて上下方向に沿って下部スリット（５）を開設し、他方のプレート（３）上端縁から該プレート（３）中央部にかけて上下方向に沿って上部スリット（６）を開設し、前記一対のプレート（２）、（３）を、下端縁が交差する十文字状の姿勢で、前記下部スリット（５）と上部スリット（６）とを相互に嵌め込んで組み付けることを特徴とする食品用カッター。
【請求項３】
下端縁を刃状加工した一対のプレートの一方のプレート（７）下端縁から該プレート（７）中央部にかけて上下方向に沿って第一のスリット（９）を開設すると共に、該一方のプレート（７）上端縁から該プレート（７）中央部にかけて上下方向に沿って第二のスリット（１０）を開設し、他方のプレート（８）の側縁中央部から下部方向にかけて逆Ｌ字形状に鉤スリット（１１）を開設し、前記一方のプレート（７）の第一のスリット（９）を他方のプレート（８）の鉤スリット（１１）の開口縁から挿入嵌め込みして、一方のプレート（７）と他方のプレート（８）とを相互に回動させて、下端縁が交差する十文字状の姿勢で組み付けることを特徴とする食品用カッター。
【請求項４】
プレートの下端縁を下方に向けて膨出する湾曲縁としたことを特徴とする請求項１、２、３に記載の食品用カッター。
【請求項５】
プレートの上端部の左右幅を下端部の左右幅よりも小さくしたことを特徴とする請求項１、２、３に記載の食品用カッター。
【発明の詳細な説明】
【技術分野】
【０００１】
本発明は、離乳食或いは介護食等を得るために食品を細かく切断する食品用カッターに関するものである。
【背景技術】
【０００２】
咀嚼が未熟な乳児から乳幼児に成長する過程では離乳食を用意しなければならない。この離乳食は歯の生え揃わない乳児に充分な栄養を与えるためだけでなく咀嚼の訓練ともなるものであり、家庭内であれば乳幼児が食べ易く嫌わないようにするための工夫を凝らし、食品を細かく・小さく切断加工するなどの対応をすることができる。
【０００３】
しかしながら、同じ食卓で成人食を与えなければならない場合もあり、特に外食では通常食を与えなければならないこともある。このような事情は乳幼児に限らず、歯が退化してしまった年寄りに対してでも同様で、刻み食としなければならず、離乳食や介護食とするためには例えば所定のカッターやハサミを使用することになり、このような場合の対処として以下のような提案がなされている。
【先行技術文献】
【特許文献】
【０００４】
【特許文献１】実用新案登録第３１１０７５０号公報
【特許文献２】特開２０１７−１２４４８１号公報
【特許文献３】特開２０００−２３７０６９号公報
【特許文献４】特開平９−２０６４８０号公報
【発明の概要】
【発明が解決しようとする課題】
【０００５】
上記した特許文献１の考案は、食器本体と、食品を切断するブレードを有するカッターとから構成され、食品を収納した食器本体内にカッターを挿入して食品を切断するものであるが、「携帯用食器」とされてはいるものの構造が複雑で大型であり、使用後の洗浄に手間がかかることが予想される。特許文献２の発明もほぼ同様である。
【０００６】
また、特許文献３の発明は、ピンセット状の一方のレバーに食品を押し潰すことのできる面板部、他方のレバーに面板部に押し付けて食品を切断する切断刃を設けた構成、特許文献４の発明は複数の刃が噛み合う鋏の構成であるが、共に使用後に刃の部分に食品が残存付着してしまい、後始末に手間のかかるものになっている。
【０００７】
よって本発明は、上述した従来技術の欠点、不都合、不満を解消するべく発明されたものであって、簡単な構成でありながらも確実に食品を切断して離乳食や介護食を得ることができ、携帯に便利で後始末も容易な食品用カッターを提供することにある。
【課題を解決するための手段】
【０００８】
上記課題を解決するため、本発明の食品用カッターは、下端縁を刃状加工した一対のプレートの夫々に一端が開放されたスリットを開設し、前記した一対のプレートの夫々の下端縁が交差する十文字状の姿勢で、前記した各スリットを相互に嵌め込んで組み付けることを特徴とする構成である。
【０００９】
また、下端縁を刃状加工した一対のプレートの一方のプレート下端縁からこのプレート中央部にかけて上下方向に沿って下部スリットを開設し、他方のプレート上端縁からこのプレート中央部にかけて上下方向に沿って上部スリットを開設し、前記した一対のプレートを、下端縁が交差する十文字状の姿勢で、前記した下部スリットと上部スリットとを相互に嵌め込んで組み付けることを特徴とする構成である。
【００１０】
更には、下端縁を刃状加工した一対のプレートの一方のプレート下端縁からこのプレート中央部にかけて上下方向に沿って第一のスリットを開設すると共に、この一方のプレート上端縁からこのプレート中央部にかけて上下方向に沿って第二のスリットを開設し、他方のプレートの側縁中央部から下部方向にかけて逆Ｌ字形状に鉤スリットを開設し、前記した一方のプレートの第一のスリットを他方のプレートの鉤スリットの開口縁から挿入嵌め込みして、一方のプレートと他方のプレートとを相互に回動させて、下端縁が交差する十文字状の姿勢で組み付けることを特徴とする構成である。
【００１１】
これ等の構成にあって、プレートの下端縁を下方に向けて膨出する湾曲縁とし、或いは更に加えてプレートの上端部の左右幅を下端部の左右幅よりも小さくしたことを特徴とする構成とする。
【発明の効果】
【００１２】
従って、下端縁を刃状加工した一対のプレートは下端縁が交差する十文字状の姿勢で相互に組み付いているので、上部を把持して下端縁を食品に押し付ければ、単なる二枚刃というだけでなく十文字刃として広範にわたって麺類、ゆで野菜等の食品を容易に押し切ることができる。この場合、プレートの下端縁を下方に向けて膨出する湾曲縁とすれば、前後左右方向に搖動させることができるので押し切り操作が円滑になり、プレートの上端部の左右幅を下端部の左右幅よりも小さくすれば、切断操作時に握り易くなる。
【００１３】
一対のプレートはスリットを相互に嵌め込んで組み付けることができるので、組み立てが容易であり同時に分解も容易である。従って、上記した組み立てた形態での押し切り操作とは別に、分解して個々のプレートであたかもフォークとナイフのように食品を一口大に切ったり裂いたり、更にはヘラとしても使用できることになる。
【００１４】
外出先での使用の際でも、分解した一対のプレートは嵩張らないので携帯に便利であり、使用後に分解したプレートの特にスリット部分が食品で汚れていても容易に払拭し或いは洗浄することができるので、衛生的である。
【００１５】
また、一方のプレート下端縁から中央部にかけて上下方向に沿って下部スリットを開設し、他方のプレート上端縁から中央部にかけて上下方向に沿って上部スリットを開設すれば、一方のプレートの下部スリットを他方のプレートの上部スリットに嵌め込んで上下に相対移動させるだけで良いので組み立てが極めて容易であり、同様に分解も容易である。
【００１６】
更には、一方のプレート下端縁から中央部にかけて上下方向に沿って第一のスリットを開設すると共に、この一方のプレート上端縁から中央部にかけて上下方向に沿って第二のスリットを開設し、また、他方のプレートの側縁中央部から下部方向にかけて逆Ｌ字形状に鉤スリットを開設する構成とすれば、一方のプレートの第一のスリットを他方のプレートの鉤スリットの開口縁から挿入嵌め込みし、一方のプレートと他方のプレートとを相互に回動させて、下端縁が交差する十文字状の姿勢で組み付けるに際し、食品が直接触れる下部と手で直接把持する上部とが接触することはないので、汚れることもなく衛生的である等、本発明は多くの優れた作用効果を奏する。
【図面の簡単な説明】
【００１７】
【図１】本発明の食品用カッターの実施例を示す正面図で、（ａ）は一方のプレート、（ｂ）は他方のプレートである。
【図２】図１の実施例を示す斜視図で、（ａ）は組み立て途中状態、（ｂ）は組み立て状態である。
【図３】本発明の食品用カッターの他の実施例を示す正面図で、（ａ）は一方のプレート、（ｂ）は他方のプレートである。
【図４】図３の実施例を示す斜視図で、（ａ）は組み立て前、（ｂ）は第一のスリットを鉤スリットの水平部に挿入嵌め込みした状態である。
【図５】図３の実施例を示す斜視図で、（ａ）は第一のスリットを鉤スリットに挿入嵌め込みして一方のプレートと他方のプレートとを相互回動させる途中状態、（ｂ）は組み立て状態である。
【発明を実施するための形態】
【００１８】
本発明の食品用カッターは、一対のプレートを下端縁が交差する十文字状の姿勢で相互に嵌め込んで組み付ける構成で、プレートの夫々に一端が開放されたスリットを開設し、この各スリットを相互に挿入するものであり、プレートの各下端縁を刃状加工する。
【実施例】
【００１９】
図１、２に示した実施例にあって、食品用カッター１を構成する一対のプレート２、３は合成樹脂で成形される平板状であって、夫々の下端縁は下方に向けて膨出する湾曲縁の刃状加工したブレード部４となっており、一方のプレート２下端縁からこのプレート２の中央部にかけて上下方向に沿って下部スリット５を開設し、また、他方のプレート３上端縁からこのプレート３の中央部にかけて上下方向に沿って上部スリット６を開設する。また、各プレート２、３の上端部の左右幅ｌ（エル）を下端部の左右幅ｍよりも小さくする（図１（ａ）参照）。
【００２０】
そして、図２に示すように、他方のプレート３の上部スリット６に対して一方のプレート２の下部スリット５を位置合わせし、夫々の下端縁が交差する十文字状の姿勢にして一方のプレート２を上方から嵌め込み、組み付けるのである。
【００２１】
次に、図３、４、５に示した実施例にあって、食品用カッター１を構成する一対のプレート７、８は前記実施例と同様の合成樹脂で成形される平板状であって、夫々の下端縁は下方に向けて膨出する湾曲縁の刃状加工したブレード部４、各プレート７、８の上端部の左右幅ｌ（エル）は下端部の左右幅ｍよりも小さくする（図３（ａ）参照）。そしてここでの一方のプレート７には、下端縁から中央部にかけて上下方向に沿って第一のスリット９が開設され、且つこの一方のプレート７の上端縁から中央部にかけては上下方向に沿って第二のスリット１０が開設される。また、他方のプレート８の一方側縁中央部から下部方向にかけては水平部１１ａから垂直部１１ｂへと連続する逆Ｌ字形状の鉤スリット１１が開設される。
【００２２】
そして先ず、図４（ａ）に示すように、例えば垂直姿勢とした他方のプレート８の鉤スリット１１開口縁である水平部１１ａ開口縁に対して、水平姿勢とした一方のプレート７の第一のスリット９開口縁を位置合わせし、図４（ｂ）に示すように、第一のスリット９を水平部１１ａに挿入して更に第一のスリット９を他方のプレート８の中央部に挿し込む。
【００２３】
次いで図５（ａ）に示すように、一方のプレート７と他方のプレート８とを相互に回動させ、更に、他方のプレート８の下部が第一のスリット９に挿入され且つ他方のプレート８の上部が第二のスリット１０に挿入されるようにして、一方のプレート７と他方のプレート８の夫々の下端縁が交差する十文字状の姿勢に組み付けるのである（図５（ｂ））。ここでは、一方のプレート７の中央部が他方のプレート８の鉤スリット１１の垂直部１１ｂに嵌まり込むことになるので、一方のプレート７と他方のプレート８との組み付きは強固なものになる。
【符号の説明】
【００２４】
１  食品用カッター
２  一方のプレート
３  他方のプレート
４  ブレード部
５  下部スリット
６  上部スリット
７  一方のプレート
８  他方のプレート
９  第一のスリット
１０  第二のスリット
１１  鉤スリット
１１ａ  水平部
１１ｂ  垂直部
【図１】
2020000526.tif 000003
【図２】
2020000526.tif 000004
【図３】
2020000526.tif 000005
【図４】
2020000526.tif 000006
【図５】
2020000526.tif 000007